【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
光周波数又は強度がデータの少なくとも１シンボル期間中で変化する信号光を、前記信号光の光周波数又は強度の変化の少なくとも一方で同期受信する加算同期手段と、
前記信号光を、前記信号光の光周波数と所定の光周波数差をもつ差分光周波数又は前記信号光の強度が所定の強度となる時間と所定の時間差をもつ差分時間の少なくとも一方で同期受信する減算同期手段と、
前記加算同期手段の出力から前記減算同期手段の出力を減じて、前記信号光に含まれるデータを取得する加減算手段と、
を備える受信器。
【請求項２】
前記加算同期手段及び前記減算同期手段は、
前記信号光と局発光とを混合する混合手段と、
前記混合手段の混合した混合光を光検波して電気信号を出力する光検波手段と、
前記光検波手段が出力する電気信号から中間周波数信号を選択してコヒーレント検波する選択コヒーレント検波手段と、を有し、
前記加算同期手段の有する前記選択コヒーレント検波手段は、
前記光検波手段が出力する電気信号から前記信号光の光周波数に同期した前記中間周波数信号をバンドパスフィルタで選択して包絡線検波器でコヒーレント包絡線検波を行う、又は前記光検波手段が出力する電気信号に信号源からの電気信号を乗算手段で乗じて前記信号光の光周波数に同期した前記中間周波数信号を取り出すコヒーレント同期検波を行い、
前記減算同期手段の有する前記選択コヒーレント検波手段は、
前記光検波手段が出力する電気信号から前記差分光周波数に同期した前記中間周波数信号をバンドパスフィルタで選択して包絡線検波器でコヒーレント包絡線検波を行う、又は前記光検波手段が出力する電気信号に信号源からの電気信号を乗算手段で乗じて前記差分光周波数に同期した前記中間周波数信号を取り出すコヒーレント同期検波を行い、
前記局発光の光周波数変化と前記選択コヒーレント検波手段の選択する中間周波数信号の周波数変化の和が信号光の時間変化に同期していることを特徴とする請求項１に記載の受信器。
【請求項３】
前記信号光と局発光とを混合する混合手段と、
前記混合手段の混合した混合光を光検波して電気信号を出力する光検波手段と、
をさらに備え、
前記加算同期手段及び前記減算同期手段は、
前記光検波手段が出力する電気信号から中間周波数信号を選択してコヒーレント検波する選択コヒーレント検波手段、を有し、
前記加算同期手段の有する前記選択コヒーレント検波手段は、
前記光検波手段が出力する電気信号から前記信号光の光周波数に同期した前記中間周波数信号をバンドパスフィルタで選択して包絡線検波器でコヒーレント包絡線検波を行う、又は前記光検波手段が出力する電気信号に信号源からの電気信号を乗算手段で乗じて前記信号光の光周波数に同期した前記中間周波数信号を取り出すコヒーレント同期検波を行い、
前記減算同期手段の有する前記選択コヒーレント検波手段は、
前記光検波手段が出力する電気信号から前記差分光周波数に同期した前記中間周波数信号をバンドパスフィルタで選択して包絡線検波器でコヒーレント包絡線検波を行う、又は前記光検波手段が出力する電気信号に信号源からの電気信号を乗算手段で乗じて前記差分光周波数に同期した前記中間周波数信号を取り出すコヒーレント同期検波を行い、
前記局発光の光周波数変化と前記選択コヒーレント検波手段の選択する中間周波数信号の周波数変化の和が信号光の時間変化に同期していることを特徴とする請求項１に記載の受信器。
【請求項４】
前記信号光と局発光とを混合する混合手段と、
前記混合手段の混合した混合光を光検波して電気信号を出力する光検波手段と、
をさらに備え、
前記加算同期手段及び前記減算同期手段は、
前記光検波手段が出力する電気信号から中間周波数信号を選択する中間周波数信号選択手段、を有し、
前記加算同期手段の有する前記中間周波数信号選択手段は、
前記光検波手段が出力する電気信号から前記信号光の光周波数に同期した前記中間周波数信号をバンドパスフィルタで選択し、
前記減算同期手段の有する前記中間周波数信号選択手段は、
前記光検波手段が出力する電気信号から前記差分光周波数に同期した前記中間周波数信号をバンドパスフィルタで選択し、
前記加減算手段が出力する電気信号に対して包絡線検波器でコヒーレント包絡線検波を行うコヒーレント包絡線検波手段、
をさらに備え、
前記局発光の光周波数変化と前記中間周波数信号選択手段の選択する中間周波数信号の周波数変化の和が信号光の時間変化に同期していることを特徴とする請求項１に記載の受信器。
【請求項５】
前記加算同期手段及び前記減算同期手段は、
前記信号光と局発光とを混合する混合手段と、
前記混合手段の混合した混合光を光検波して電気信号を出力する光検波手段と、を有し、
前記加減算手段は、
前記加算同期手段の出力から前記減算同期手段の出力を減じた出力から前記信号光の光周波数に同期した中間周波数信号をバンドパスフィルタで選択して包絡線検波器でコヒーレント包絡線検波を行う、又は前記加算同期手段の出力から前記減算同期手段の出力を減じて出力する電気信号に信号源からの電気信号を乗算手段で乗じて前記信号光の光周波数に同期した前記中間周波数信号を取り出すコヒーレント同期検波を行う選択コヒーレント検波手段を有しており、
前記局発光の光周波数変化と前記選択コヒーレント検波手段の選択する中間周波数信号の周波数変化の和が信号光の時間変化に同期していることを特徴とする請求項１に記載の受信器。
【請求項６】
前記加算同期手段及び前記減算同期手段は、
前記信号光と局発光とを混合する混合手段と、
前記混合手段の混合した混合光を光検波して電気信号を出力する光検波手段と、を有し、
前記加減算手段は、
前記加算同期手段側と前記減算同期手段側とで中心周波数が互いに異なるバンドパスフィルタを持ち、前記バンドパスフィルタを経由した前記加算同期手段の出力から前記バンドパスフィルタを経由した前記減算同期手段の出力を減じた中間周波数信号を包絡線検波器でコヒーレント包絡線検波を行う選択コヒーレント検波手段を有し、
前記局発光の光周波数変化と前記選択コヒーレント検波手段の選択する中間周波数信号の周波数変化の和が信号光の時間変化に同期していることを特徴とする請求項１に記載の受信器。
【請求項７】
前記加算同期手段及び前記減算同期手段は、
前記信号光を光周波数に応じて分波する光分波手段と、
前記光分波手段で分波した光を光検波して電気信号を出力する光検波手段と、
前記光周波数に応じた電気信号を選択する選択手段と、を有し、
前記光検波手段は前記分波手段で分波した光をそれぞれ光検波して電気信号を出力する光検波手段であり、前記選択手段は前記光検波手段が出力する出力電気信号の中から１の前記電気信号を受信対象として選択する選択手段である、又は前記選択手段は前記光分波手段が出力する光の中から１の前記光を受信対象として選択する手段であり、
前記加算同期手段の有する前記選択手段の受信対象とする電気信号又は光は前記信号光の光周波数に同期しており、
前記減算同期手段の有する前記選択手段の受信対象とする電気信号は前記差分光周波数に同期していることを特徴とする請求項１に記載の受信器。
【請求項８】
前記加算同期手段及び前記減算同期手段は、
前記信号光を光周波数に応じて分波する光分波手段と、
前記光分波手段で分波した光の中から１の前記光を、光ゲートを用いて受信対象として選択する加算選択器と、
前記加算選択器が選択した光を光検波して電気信号を出力する加算光検波手段と、
前記光分波手段で分波した光の中から１の前記光を、光ゲートを用いて受信対象として選択する減算選択器と、
前記減算選択器が選択した光を光検波して電気信号を出力する減算光検波手段と、を有し、
前記加算同期手段の有する前記加算選択器が受信対象とする光は前記信号光の光周波数に同期しており、
前記減算同期手段の有する前記減算選択器が受信対象とする光は前記差分光周波数に同期していることを特徴とする請求項１に記載の受信器。
【請求項９】
前記加算同期手段は前記１シンボル期間中で前記信号光の強度が所定の値である時間に同期した出力を加減算手段に出力し、
前記減算同期手段は前記差分時間に時間に同期した出力を加減算手段に出力していることを特徴とする請求項１から８のいずれかに記載の受信器。
【請求項１０】
請求項１から９のいずれかに記載の受信器と、
光周波数又は強度の少なくとも一方がデータの少なくとも１シンボル期間中で変化する信号光を送信する送信器と、
を備える光通信システム。
【請求項１１】
前記送信器は、前記信号光に対して前記信号光の光周波数に応じて異なる遅延時間を付与する分散手段を有し、
前記受信器は、前記分散手段及び前記送信機と前記受信器を接続する伝送路で光周波数に応じて異なる遅延時間を付与された前記信号光を前記分散手段及び前記送信機と前記受信器を接続する伝送路で与えられた遅延時間を解消する逆分散手段をさらに備えることを特徴とする請求項１０に記載の光通信システム。
【請求項１２】
前記送信器は、前記信号光に対して前記信号光の光周波数に応じて異なる遅延時間を付与する分散手段を有し、
請求項２から６のいずれかに記載の受信器は、前記局発光の光周波数に応じて異なる遅延時間を前記局発光に付与することで前記信号光を前記分散手段及び前記送信機と前記受信器を接続する伝送路で与えられた遅延時間を解消する局発分散手段をさらに備えることを特徴とする請求項１０に記載の光通信システム。